(57)【要約】【課題】磁力を有する電子素子を小さなピッチで収納することができ、かつ、安価な紙製テープを用いてリールに巻き取って保管しておくことのできるキャリアテープを得る。【解決手段】磁力を有する電子素子を所定のピッチで形成した収納凹部１５に収納保持するキャリアテープ１０。このキャリアテープ１０は、凹部１５を表裏面に貫通するように形成した紙製テープ１１と、該紙製テープ１１の裏面側に配置された、少なくとも一面に磁性体層を有する磁性テープ２０とで構成されている。【選択図】図５
2011079547.tif 000002
【特許請求の範囲】
【請求項１】
磁力を有する電子素子を所定のピッチで形成した収納凹部に収納保持するキャリアテープであって、
前記収納凹部を表裏面に貫通するように形成した紙製テープと、
前記紙製テープの裏面に配置された、少なくとも一面に磁性体層を有する磁性テープと、
を備えたことを特徴とするキャリアテープ。
【請求項２】
前記磁性テープの前記紙製テープ側の面に磁性体層が形成されていること、を特徴とする請求項１に記載のキャリアテープ。
【請求項３】
前記磁性テープの前記紙製テープ側とは反対面に磁性体層が形成されていること、を特徴とする請求項１に記載のキャリアテープ。
【請求項４】
前記電子素子は、互いに電気的に絶縁状態で交差して配置された複数の中心電極を有するフェライトと、該フェライトに直流磁界を印加する一対の永久磁石とを備えたフェライト・磁石素子であること、を特徴とする請求項１ないし請求項３のいずれかに記載のキャリアテープ。
【発明の詳細な説明】
【技術分野】
【０００１】
本発明は、キャリアテープ、特に、アイソレータやサーキュレータを構成するフェライト・磁石素子などの電子素子を梱包して組立て工程に供するためのキャリアテープに関する。
【背景技術】
【０００２】
従来より、組立て工程に供するため、複数の電子素子を紙製テープの凹部や樹脂製テープのエンボス加工された凹部に格納してリールに巻き取っておき、これらのテープを巻き戻しつつ自動マウント機で電子素子を１個ずつ取り出すようにしていた。ところで、電子素子にあって、アイソレータやサーキュレータなどを構成するフェライト・磁石素子のように、永久磁石などの磁力を有する部品を含むものがあり、キャリアテープへの収納時や取出し時に注意を要するものが存在している。
【０００３】
即ち、磁力を有する電子素子をテーピングする場合は、収納凹部のピッチを小さくすると隣接する素子が磁力でくっ付いてしまうことを防止するために、凹部の配置ピッチを広げる必要があった。また、キャリアテープに収納された電子素子を取り出すとき、カバーテープは引き剥がされ、かつ、キャリアテープは自動マウント機によって振動が誘起されるため、取り出される電子素子の磁力で、隣接する電子素子が引き寄せられてくっ付いて取り出されたり、凹部内で回転したりするおそれがある。さらに、自動マウント機に搭載されている磁性部品に電子素子が吸着してしまう不具合も有していた。
【０００４】
自動マウント機に対しては、磁性部品を排除する対応策が考えられるが、１機種ごとに対応することは実質的に困難である。特許文献１〜３には、エンボス加工された凹部に磁力を持たせた部材を設けることが提案されている。しかし、これらは樹脂製のキャリアテープに関する改良であり、紙製のキャリアテープに対応したものではない。また、凹部が磁力を有することになるため、磁性を有するだけの電子素子には対応可能であるが、磁力を有する電子素子に対しては吸着力が強くなりすぎるおそれがある。
【０００５】
特許文献４には、凹部の底に鉄板を設けた梱包方法が記載されている。しかし、鉄板を用いると梱包材をリールに巻き取って保管しておくことができないという問題点を有している。
【先行技術文献】
【特許文献】
【０００６】
【特許文献１】実開昭６３−３２１６０号公報
【特許文献２】特開平３−２９３７９８号公報
【特許文献３】特開平４−２０１８７２号公報
【特許文献４】特開平１０−１６７２１６号公報
【発明の概要】
【発明が解決しようとする課題】
【０００７】
そこで、本発明の目的は、磁力を有する電子素子を小さなピッチで収納することができ、かつ、安価な紙製テープを用いてリールに巻き取って保管しておくことのできるキャリアテープを提供することにある。
【課題を解決するための手段】
【０００８】
本発明の一形態であるキャリアテープは、
磁力を有する電子素子を所定のピッチで形成した収納凹部に収納保持するキャリアテープであって、
前記収納凹部を表裏面に貫通するように形成した紙製テープと、
前記紙製テープの裏面に配置された、少なくとも一面に磁性体層を有する磁性テープと、
を備えたことを特徴とする。
【０００９】
前記キャリアテープにおいては、電子素子が凹部に収納されたときに電子素子から発生する磁束が凹部の底部に設けた磁性体層を貫通し、電子素子は凹部内に磁気的に吸着保持される。それゆえ、凹部の配置ピッチを小さくしても隣接する電子素子間の干渉が低減されることになる。また、磁性テープは紙製テープよりもフレキシブルであるので、電子素子を収納したキャリアテープをリールに巻き取って保管しておくことが可能である。さらに、電子素子の収納時や取出し時に電子素子がキャリアテープの振動などでも飛び出さないので、自動マウント機の構成部品を非磁性化する必要もなくなる。
【００１０】
また、前記キャリアテープにおいては、磁性テープの一面に設けた磁性体層の種類や厚みによって電子素子に対する吸着力を調整できる。さらに、磁性体層を紙製テープ側に配置するか、逆側に配置するかによって、電子素子に対する吸着力を調整できる。磁性体層を紙製テープ側とは反対面に配置する場合にはテープ自体の厚みによって電子素子に対する吸着力を調整することも可能である。
【発明の効果】
【００１１】
本発明によれば、磁力を有する電子素子を小さなピッチで収納することができ、かつ、安価な紙製テープを用いてリールに巻き取って保管しておくことができ、吸着力の調整も容易である。
【図面の簡単な説明】
【００１２】
【図１】本発明に係るキャリアテープに収納される電子素子の一例（フェライト・磁石素子）を示す斜視図である。
【図２】前記フェライト・磁石素子を備えたアイソレータを示す斜視図である。
【図３】前記フェライト・磁石素子を備えた複合電子部品の第１例を示す斜視図である。
【図４】前記フェライト・磁石素子を備えた複合電子部品の第２例を示す斜視図である。
【図５】本発明に係るキャリアテープを示し、（Ａ）は平面図、（Ｂ）はＡ−Ａ断面図、（Ｃ）は裏面図、（Ｄ）はＢ−Ｂ断面図である。
【図６】前記キャリアテープへ前記フェライト・磁石素子を収納した状態を示す断面図である。
【図７】磁性テープの種々の取付け状態を示す説明図である。
【発明を実施するための形態】
【００１３】
以下、本発明に係るキャリアテープの実施例について添付図面を参照して説明する。
【００１４】
（被収納電子素子の説明、図１〜図４参照）
まず、本発明に係るキャリアテープに収納される電子素子の一例として、フェライト・磁石素子３０について図１を参照して説明する。このフェライト・磁石素子３０は、直方体形状のフェライト３２とその両主面に接着層４２を介して接着した一対の永久磁石４１とから構成されている。フェライト３２の両主面には図示しない第１及び第２の中心電極が互いに電気的に絶縁状態で交差して巻回配置されている。一対の永久磁石４１はフェライト３２に直流磁界を印加し、第１及び第２の中心電極を磁気的に結合させる。
【００１５】
図２は前記フェライト・磁石素子３０を含む集中定数型の２ポート型アイソレータ１を示し、整合回路を構成するチップタイプのコンデンサＣ１，Ｃ２，ＣＳ１，ＣＳ２やチップタイプの終端抵抗Ｒを備え、これらの素子が多層構造の回路基板５０上に形成した各種電極に半田付けにて実装されている。
【００１６】
なお、この種のアイソレータ１やフェライト・磁石素子３０の構成、作用については、例えば、国際公開ＷＯ２００８／０８７７８８号公報に詳述されている。
【００１７】
図３に前記フェライト・磁石素子３０を備えた複合電子部品の第１例を示す。この複合電子部品３は、前記アイソレータ１とパワーアンプ８１とをプリント配線回路基板８２の表面に実装してモジュール化したものである。パワーアンプ８１の周囲にもチップタイプの必要な回路素子８３ａ〜８３ｆが実装されている。
【００１８】
図４に前記フェライト・磁石素子３０を備えた複合電子部品の第２例を示す。この複合電子部品４は、アイソレータ１Ａ，１Ｂをプリント配線回路基板９１の表面に実装してモジュール化したものである。アイソレータ１Ａ，１Ｂは前記アイソレータ１と同じ構成であるが、異なった周波数帯に使用される。
【００１９】
（キャリアテープ、図５〜図７参照）
次に、本発明に係るキャリアテープについて説明する。このキャリアテープ１０は前記フェライト・磁石素子３０を収納するためのものであるが、素子３０以外にも磁力を有する部品を含む電子素子であれば、種々の電子素子を収納可能である。
【００２０】
図５に示すように、キャリアテープ１０は、前記素子３０を所定のピッチで形成した収納凹部１５に収納するものであって、該収納凹部１５を表裏面に貫通するように形成した紙製テープ１１と、該紙製テープ１１の裏面に配置された少なくとも一面に磁性体層を有する磁性テープ２０とで構成されている。磁性テープ２０は紙製テープ１１の裏面側に接着テープ２５にて貼り付けられている。但し、接着テープ２５を用いることなく、磁性テープ２０を紙製テープ１１の裏面に直接的に貼着してもよい。また、紙製テープ１１には収納凹部１５と平行にキャリアテープ１０を搬送するためのパイロット穴１６が等ピッチで形成されている。
【００２１】
磁性テープ２０は、ポリエステルなどの樹脂フィルム上に、樹脂バインダに磁性体粉末を混ぜたペーストを塗布して磁性体層を設けたもので、磁性体粉末としては、酸化鉄、クロム酸化物などの直径０．５μｍ程度の金属材粒子が用いられている。
【００２２】
前記フェライト・磁石素子３０は、図６に示すように、収納凹部１５に長辺方向を一致させて、かつ、磁石４１の磁極方向を一定として収納され、収納後は紙製テープ１０の表面にカバーテープ２６を貼着し、収納凹部１５を封止する。収納状態において、フェライト・磁石素子３０の永久磁石４１から生じる磁束が凹部１５の底部に設けた磁性テープ２０の磁性体層を貫通する（図６の矢印Ｙ参照）。これにて、フェライト・磁石素子３０は凹部１５内に磁気的に吸着保持される。ちなみに、フェライト・磁石素子３０のサイズは、長辺方向に１．５ｍｍ、短辺方向に０．８ｍｍ、厚さ０．５ｍｍである。これに対して、収納凹部１５のサイズは、長辺方向に１．８ｍｍ、短辺方向に１．１ｍｍ、深さ０．６ｍｍである。
【００２３】
前記キャリアテープ１０においては、収納凹部１５の底部に磁性テープ２０が配置されているために、凹部１５の配置ピッチを小さくしても隣接するフェライト・磁石素子３０間の干渉が低減される。また、フェライト・磁石素子３０を凹部１５から取り出す際には、カバーテープ２６を引き剥がして自動マウント機の吸引ノズルを用いて取り出すことになる。このとき、吸引ノズルの接離によってキャリアテープ１０が振動したとしても、フェライト・磁石素子３０が凹部１５から飛び出したりするおそれはない。収納時においても同様である。従って、自動マウント機の構成部品を非磁性化する必要もなくなる。
【００２４】
また、磁性テープ２０は紙製テープ１１よりもフレキシブルであり、テープ２５，２６も紙製テープ１１よりもフレキシブルであるので、フェライト・磁石素子３０を収納したキャリアテープ１０をリールに巻き取って保管しておくことが可能である。
【００２５】
一方、キャリアテープ１０においては、磁性テープ２０の一面に設けた磁性体層の種類や厚みによってフェライト・磁石素子３０に対する吸着力を調整できる。さらに、図７に示すように、磁性体層ｊを紙製テープ１１側に配置したり（図７（Ａ）参照）、逆側に配置すること（図７（Ｂ）参照）によって、フェライト・磁石素子３０に対する吸着力を調整できる。磁性テープ２０は磁性体層ｊを両面に設けたものであってもよい（図７（Ｃ）参照）。また、磁性体層ｊを紙製テープ１１側とは反対面に配置する場合にはテープ２０自体の厚みによってフェライト・磁石素子３０に対する吸着力を調整することも可能である。
【００２６】
（他の実施例）
なお、本発明に係るキャリアテープは前記実施例に限定するものではなく、その要旨の範囲内で種々に変更できることは勿論である。
【００２７】
特に、本発明における被収納物は、中間製品であるフェライト・磁石素子に限定されることはなく、アイソレータなどの完成製品であってもよい。
【産業上の利用可能性】
【００２８】
以上のように、本発明は、電子素子を梱包するキャリアテープに有用であり、特に、磁力を有する電子素子を小さなピッチで収納でき、安価な紙製テープを用いてリールに巻き取って保管できる点で優れている。
【符号の説明】
【００２９】
１０…キャリアテープ
１１…紙製テープ
１５…収納凹部
２０…磁性テープ
３０…フェライト・磁石素子
３２…フェライト
４１…永久磁石
ｊ…磁性体層
【図１】
2011079547.tif 000003
【図２】
2011079547.tif 000004
【図３】
2011079547.tif 000005
【図４】
2011079547.tif 000006
【図５】
2011079547.tif 000007
【図６】
2011079547.tif 000008
【図７】
2011079547.tif 000009